【手続補正書】
【提出日】平成17年7月5日(2005.7.5)
【手続補正１】
【補正対象書類名】明細書
【補正対象項目名】特許請求の範囲
【補正方法】変更
【補正の内容】
【特許請求の範囲】
【請求項１】
ネットワークを介したデータの転送制御を実行するデータ転送制御装置であり、
複数のデータ入出力ポートと、転送処理対象データのＭＡＣアドレスと出力ポートを対応付けたＭＡＣ学習テーブルを格納した記憶手段と、前記ＭＡＣ学習テーブルの更新処理を実行する制御部とを有し、
前記制御部は、
前記ＭＡＣ学習テーブルの移動ノード対応エントリとして、移動ノードのＭＡＣアドレスに異なる出力ポートを対応付けた複数のエントリを設定し、ネットワークを介して受信した移動ノードのＭＡＣアドレス宛てのデータを、前記ＭＡＣ学習テーブルに設定した複数エントリに基づいて、複数の出力ポートに並列出力する処理を実行する構成を有することを特徴とするデータ転送制御装置。
【請求項２】
前記制御部は、
前記ＭＡＣ学習テーブルに、前記移動ノードの現接続アクセスポイントが接続されているポートと、該移動ノードの１以上の次接続アクセスポイントが接続されているポートを移動ノードのＭＡＣアドレスに対応する出力ポートとしてそれぞれ設定した複数エントリを設定し、ネットワークを介して受信した移動ノードのＭＡＣアドレス宛てのデータを、前記複数エントリに設定された複数の出力ポートに並列出力する処理を実行する構成を有することを特徴とする請求項１に記載のデータ転送制御装置。
【請求項３】
前記制御部は、
移動ノードから受信するハンドオーバー開始メッセージに格納された次接続アクセスポイントのＭＡＣアドレスに基づいて、次接続アクセスポイントが接続されているポートを前記移動ノードのＭＡＣアドレスに対応する出力ポートとしたエントリを前記ＭＡＣ学習テーブルに追加エントリとして設定する処理を実行するとともに、
ネットワークを介して受信した移動ノードのＭＡＣアドレス宛てのデータを、ＭＡＣ学習テーブルに設定した移動ノードのＭＡＣアドレスに関する複数エントリの出力ポート、すなわち移動ノードの現接続アクセスポイントおよび次接続アクセスポイントが接続されている複数のポートに対して並列出力する処理を実行する構成を有することを特徴とする請求項１に記載のデータ転送制御装置。
【請求項４】
前記制御部は、
前記ハンドオーバー開始メッセージに基づく、前記ＭＡＣ学習テーブルに対する追加エントリの設定処理完了を条件として、ハンドオーバー設定完了メッセージを前記ハンドオーバー開始メッセージの送信元移動ノードに対して送信する処理を実行する構成であることを特徴とする請求項３に記載のデータ転送制御装置。
【請求項５】
前記制御部は、
移動ノードから受信するハンドオーバー終了メッセージに格納された旧接続アクセスポイントのＭＡＣアドレスに基づいて、旧接続アクセスポイントが接続されているポートを前記移動ノードのＭＡＣアドレスに対応する出力ポートとして設定したエントリを前記ＭＡＣ学習テーブルから削除する処理を実行する構成を有することを特徴とする請求項１に記載のデータ転送制御装置。
【請求項６】
前記制御部は、
移動ノードに対するデータ転送を実行する各アクセスポイントからのデータを受信し、該受信データに基づいて、各アクセスポイントのＭＡＣアドレスに対する出力ポートの対応データをＭＡＣ学習テーブルに設定する処理を実行する構成であることを特徴とする請求項１に記載のデータ転送制御装置。
【請求項７】
ネットワークを介したデータ送受信を実行するとともに、データ受信状況に基づくアクセスポイント変更を行なう移動型の通信端末装置であり、
通信端末装置が次に接続予定の次接続アクセスポイントのＭＡＣアドレスの取得処理を実行し、取得した次接続アクセスポイントＭＡＣアドレスを格納したハンドオーバー開始メッセージをブロードキャスト送信する処理を実行するとともに、
前記ハンドオーバー開始メッセージに対するデータ転送制御装置からの応答メッセージとしてのハンドオーバー設定完了メッセージの受信を条件としてハンドオーバー処理を実行する構成を有することを特徴とする通信端末装置。
【請求項８】
前記通信端末装置は、
定期的に全無線チャネルを走査することとしてのバックグラウンド・スキャン処理を実行し、受信ビーコンの始点ＭＡＣアドレスを次接続アクセスポイントのＭＡＣアドレスとして取得し、記憶する処理を実行する構成を有することを特徴とする請求項７に記載の通信端末装置。
【請求項９】
前記通信端末装置は、
前記ハンドオーバー開始メッセージ送信の後、ハンドオーバー設定完了メッセージの受信に至る期間、前記ハンドオーバー開始メッセージの再送処理を実行する構成であることを特徴とする請求項７に記載の通信端末装置。
【請求項１０】
前記通信端末装置は、
ハンドオーバー処理の実行後、該通信端末装置が接続を解除した旧接続アクセスポイントのＭＡＣアドレスを格納したハンドオーバー終了メッセージを、前記ハンドオーバー設定完了メッセージの送信元に対してまたはブロードキャスト送信する処理を実行する構成であることを特徴とする請求項７に記載の通信端末装置。
【請求項１１】
ネットワークを介したデータ送受信を実行するとともに、データ受信状況に基づくアクセスポイント変更を行なう移動型の通信端末装置と、ネットワークを介したデータ転送制御を実行するデータ転送制御装置からなるデータ通信システムであり、
前記通信端末装置は、
次に接続予定の次接続アクセスポイントのＭＡＣアドレスの取得処理を実行し、取得した次接続アクセスポイントＭＡＣアドレスを格納したハンドオーバー開始メッセージをブロードキャスト送信する処理を実行する構成を有し、
前記データ転送制御装置は、
前記通信端末装置から受信するハンドオーバー開始メッセージに格納された次接続アクセスポイントのＭＡＣアドレスに基づいて、次接続アクセスポイントが接続されているポートを前記通信端末装置のＭＡＣアドレスに対応する出力ポートとしたエントリをＭＡＣ学習テーブルに追加エントリとして設定する処理を実行するとともに、
ネットワークを介して受信した前記通信端末装置のＭＡＣアドレス宛てのデータを、ＭＡＣ学習テーブルに設定した通信端末装置のＭＡＣアドレスに関する複数エントリの出力ポート、すなわち通信端末装置の現接続アクセスポイントおよび次接続アクセスポイントが接続されている複数のポートに対して並列出力する処理を実行する構成を有することを特徴とするデータ通信システム。
【請求項１２】
前記通信端末装置は、
前記ハンドオーバー開始メッセージに対するデータ転送制御装置からの応答メッセージとしてのハンドオーバー設定完了メッセージの受信を条件としてハンドオーバー処理を実行する構成であることを特徴とする請求項１１に記載のデータ通信システム。
【請求項１３】
ネットワークを介したデータの転送制御を実行するデータ転送制御方法であり、
転送処理対象データのＭＡＣアドレスと出力ポートを対応付けたＭＡＣ学習テーブルの移動ノード対応エントリとして、移動ノードのＭＡＣアドレスに異なる出力ポートを対応付けた複数のエントリを設定するエントリ設定ステップと、
ネットワークを介して受信した移動ノードのＭＡＣアドレス宛てのデータを、前記ＭＡＣ学習テーブルに設定した複数エントリに基づいて、複数の出力ポートに並列出力するデータ出力ステップと、
を有することを特徴とするデータ転送制御方法。
【請求項１４】
ネットワークを介したデータ送受信を実行するとともに、データ受信状況に基づくアクセスポイント変更を行なう移動型の通信端末装置におけるハンドオーバー処理方法であり、
通信端末装置が次に接続予定の次接続アクセスポイントのＭＡＣアドレスの取得処理を実行するＭＡＣアドレス取得処理ステップと、
取得した次接続アクセスポイントＭＡＣアドレスを格納したハンドオーバー開始メッセージをブロードキャスト送信する処理を実行するメッセージ送信ステップと、
前記ハンドオーバー開始メッセージに対するデータ転送制御装置からの応答メッセージとしてのハンドオーバー設定完了メッセージの受信を条件としてハンドオーバー処理を実行するハンドオーバー実行ステップと、
を有することを特徴とするハンドオーバー処理方法。
【請求項１５】
ネットワークを介したデータ送受信を実行するとともに、データ受信状況に基づくアクセスポイント変更を行なう移動型の通信端末装置と、ネットワークを介したデータ転送制御を実行するデータ転送制御装置からなるデータ通信方法であり、
前記通信端末装置において、
次に接続予定の次接続アクセスポイントのＭＡＣアドレスの取得処理を実行し、取得した次接続アクセスポイントＭＡＣアドレスを格納したハンドオーバー開始メッセージをブロードキャスト送信し、
前記データ転送制御装置において、
前記通信端末装置から受信するハンドオーバー開始メッセージに格納された次接続アクセスポイントのＭＡＣアドレスに基づいて、次接続アクセスポイントが接続されているポートを前記通信端末装置のＭＡＣアドレスに対応する出力ポートとしたエントリをＭＡＣ学習テーブルに追加エントリとして設定する処理を実行するとともに、
ネットワークを介して受信した通信端末装置のＭＡＣアドレス宛てのデータを、ＭＡＣ学習テーブルに設定した通信端末装置のＭＡＣアドレスに関する複数エントリの出力ポート、すなわち通信端末装置の現接続アクセスポイントおよび次接続アクセスポイントが接続されている複数のポートに対して並列出力する処理を実行することを特徴とするデータ通信方法。
【請求項１６】
ネットワークを介したデータの転送制御処理をコンピュータ・システム上で実行するために記述されたコンピュータ・プログラムであって、
転送処理対象データのＭＡＣアドレスと出力ポートを対応付けたＭＡＣ学習テーブルの移動ノード対応エントリとして、移動ノードのＭＡＣアドレスに異なる出力ポートを対応付けた複数のエントリを設定するエントリ設定ステップと、
ネットワークを介して受信した移動ノードのＭＡＣアドレス宛てのデータを、前記ＭＡＣ学習テーブルに設定した複数エントリに基づいて、複数の出力ポートに並列出力するデータ出力ステップと、
を有することを特徴とするコンピュータ・プログラム。
【請求項１７】
ネットワークを介したデータ送受信を実行するとともに、データ受信状況に基づくアクセスポイント変更を行なう移動型の通信端末装置におけるハンドオーバー処理をコンピュータ・システム上で実行するために記述されたコンピュータ・プログラムであって、
通信端末装置が次に接続予定の次接続アクセスポイントのＭＡＣアドレスの取得処理を実行するＭＡＣアドレス取得処理ステップと、
取得した次接続アクセスポイントＭＡＣアドレスを格納したハンドオーバー開始メッセージをブロードキャスト送信する処理を実行するメッセージ送信ステップと、
前記ハンドオーバー開始メッセージに対するデータ転送制御装置からの応答メッセージとしてのハンドオーバー設定完了メッセージの受信を条件としてハンドオーバー処理を実行するハンドオーバー実行ステップと、
を有することを特徴とするコンピュータ・プログラム。